(57)【特許請求の範囲】
【請求項１】
サッシの窓枠の屋外側に障子を建て込み、屋内側に網戸を取り付けたサッシの網戸であって、網体の両側の側縁部に合成樹脂製のアタッチメントが取り付けられ、当該アタッチメントには、上記網体の側縁部を飲み込む飲込み部と、飲み込まれた上記側縁部の端部に形成された膨突部に係止する係止溝と、上記窓枠に形成した取付溝に対してその開口側から嵌合する嵌合部とを備え、窓枠の取付溝に上記嵌合部を嵌合させたときに、上記飲込み部は上記網体の張設面に対して略直交する方向に設けられ、上記飲込み部に飲み込まれた上記網体の端部が上記飲込み部を構成する飲込み縁に沿って上記網体の張設面に対して交差する方向に引っ張られることを特徴とするサッシの網戸。
【請求項２】
上記飲込み部は２つの飲込み縁から構成され、一方の飲込み縁は断面がコ字形に形成されたことを特徴とする、請求項１に記載のサッシの網戸。
【請求項３】
上記アタッチメントの係止溝を、上記飲込み縁の内面の深さ方向に沿って複数個形成したことを特徴とする、請求項１に記載のサッシの網戸。
【請求項４】
屋外側の金属製の金属枠部と屋内側の合成樹脂製の樹脂枠部とを一体に結合した窓枠の金属枠部の内側に障子を建て込んでサッシを構成し、上記樹脂枠部の互いに対向する面には取付溝を形成する一方、上記樹脂枠部の内側に設けられる網体の側縁部には合成樹脂製のアタッチメントを取り付け、このアタッチメントには、上記網体の側縁部を飲み込む飲込み部と、飲み込まれた上記側縁部の端部に形成された膨突部に係止する係止溝と、上記樹脂枠部の取付溝に対してその開口側から嵌合する嵌合部と、を形成し、窓枠の取付溝に上記嵌合部を嵌合させたときに、上記飲込み部は上記網体の張設面に対して略直交する方向に設けられ、上記飲込み部に飲み込まれた上記網体の端部が上記飲込み部を構成する飲込み縁に沿って上記網体の張設面に対して交差する方向に引っ張られることを特徴とするサッシの網戸取付構造。
【請求項５】
上記障子の框の屋内側の見付け面は上記樹脂枠部によって覆われたことを特徴とする、請求項４に記載のサッシの網戸取付構造。
【請求項６】
上記取付溝を屋外側に開口したことを特徴とする、請求項４に記載のサッシの網戸取付構造。
【請求項７】
上記取付溝をあり溝として内方に開口するとともに、上記アタッチメントを、けんどん式に上記取付溝に入れ込み可能に形成したことを特徴とする、請求項４に記載のサッシの網戸取付構造。
【請求項８】
上記取付溝を屋内側に開口したことを特徴とする、請求項４に記載のサッシの網戸取付構造。
【発明の詳細な説明】
【技術分野】
【０００１】
本発明はサッシの窓枠に取り付ける網戸およびその取付構造に関する。
【背景技術】
【０００２】
一般に、網戸は防虫網を框組みしてなるもので、サッシに取り付ける場合は、障子の屋外側に設けられた網戸レールに障子と独立に摺動可能に取り付けたものが多い。
【０００３】
したがって、網戸は障子のように框組みし、窓枠に専用のレールを設け、障子と同じように開け閉てするように構成されているものが多い。
【特許文献１】特開２００１−１３２３４０公報
【発明の開示】
【発明が解決しようとする課題】
【０００４】
しかしながら、最近は、障子の框の屋内側の見付け面を窓枠の樹脂枠部で覆って障子の断熱を図る、隠し框タイプのサッシが提案実施されている。このようなサッシでは、障子の框が窓枠で隠れるが、断熱性の点から、障子と窓枠との間には屋内外方向にあまり間隔を取ることは許されない。
【０００５】
このため、樹脂枠部の内側（開口部の中心側）に網戸を取り付けざるを得ないが、上述のように障子の框の見付け面を窓枠で覆う構成では、窓枠の樹脂枠部の内側に構成された開口部は障子の框の内側の開口部と同じになるから、従来の開口部よりもやや小さくなりがちである。したがって、樹脂枠部の内側にさらに網戸の框を配置することになると、開口部がさらに狭く小さくなってしまうという問題がある。
【０００６】
また、網戸の四周を框組みする構成は、かなり以前から行なわれてきており、窓枠や障子がデザイン的に洗練されたものになってきているのに比較し、網戸だけが変わらないので、その外形が飽きられてきている。
【０００７】
本発明は上記問題点を解消し、網戸の構成を簡略にし、窓枠と一体的に取り付けることにより従来の網戸框をなくし、サッシ全体の外観を向上させ、隠し框タイプのサッシであっても、開口部を狭小にすることがなく、網戸自体の外観も向上させることができるサッシの網戸とその網戸取付構造を提供することをその課題とする。
【課題を解決するための手段】
【０００８】
前記課題を解決するため、請求項１に係るサッシの網戸は、サッシの窓枠の屋外側に障子を建て込み、屋内側に網戸を取り付けたサッシの網戸であって、網体の両側の側縁部に合成樹脂製のアタッチメントが取り付けられ、当該アタッチメントには、上記網体の側縁部を飲み込む飲込み部と、飲み込まれた上記側縁部の端部に形成された膨突部に係止する係止溝と、上記窓枠に形成した取付溝に対してその開口側から嵌合する嵌合部とを備え、窓枠の取付溝に上記嵌合部を嵌合させたときに、上記飲込み部は上記網体の張設面に対して略直交する方向に設けられ、上記飲込み部に飲み込まれた上記網体の端部が上記飲込み部を構成する飲込み縁に沿って上記網体の張設面に対して交差する方向に引っ張られることを特徴とする。
【０００９】
請求項２に係る発明は、上記飲込み部は２つの飲込み縁から構成され、一方の飲込み縁は断面がコ字形に形成されたことを特徴とする。
【００１０】
請求３に係る発明は、上記アタッチメントの係止溝を、上記飲込み縁の内面の深さ方向に沿って複数個形成したことを特徴とする。
【００１１】
請求項４に係るサッシの網戸取付構造は、屋外側の金属製の金属枠部と屋内側の合成樹脂製の樹脂枠部とを一体に結合した窓枠の金属枠部の内側に障子を建て込んでサッシを構成し、上記樹脂枠部の互いに対向する面には取付溝を形成する一方、上記樹脂枠部の内側に設けられる網体の側縁部には合成樹脂製のアタッチメントを取り付け、このアタッチメントには、上記網体の側縁部を飲み込む飲込み部と、飲み込まれた上記側縁部の端部に形成された膨突部に係止する係止溝と、上記樹脂枠部の取付溝に対してその開口側から嵌合する嵌合部と、を形成し、窓枠の取付溝に上記嵌合部を嵌合させたときに、上記飲込み部は上記網体の張設面に対して略直交する方向に設けられ、上記飲込み部に飲み込まれた上記網体の端部が上記飲込み部を構成する飲込み縁に沿って上記網体の張設面に対して交差する方向に引っ張られることを特徴とする。
【００１２】
請求項５に係る発明は、上記障子の框の屋内側の見付け面は上記樹脂枠部によって覆われたことを特徴とする。
【００１３】
請求項６に係る発明は、上記取付溝を屋外側に開口したことを特徴とする。
【００１４】
請求項７に係る発明は、上記取付溝をあり溝として内方に開口するとともに、上記アタッチメントを、けんどん式に上記取付溝に入れ込み可能に形成したことを特徴とする。
【００１５】
請求項８に係る発明は、上記取付溝を屋内側に開口したことを特徴とする。
【発明の効果】
【００１６】
請求項１に係る発明によれば、網戸は網体とアタッチメントとから構成されるだけであるから、その構成は非常にシンプルであり、窓枠と一体的に取り付けることにより従来の網戸框をなくし、サッシ全体の外観を向上させ、網戸自体のサッシの外観も向上させることができる。
【００１７】
また、上記アタッチメントは、上記網体の側縁部を飲み込む飲込み部と、上記側縁部の端部に形成された膨突部に係止する係止溝と、上記取付溝に嵌合する嵌合部とを備えているから、上記膨突部を含む網体の側縁部は、網目が乱れがちになるが、この部分はアタッチメントの飲込み部に飲み込まれて外部から見えなくなるので、網戸の全体の体裁がよい。
【００１８】
請求項２に係る発明によれば、一方の飲込み縁は断面がコ字形に形成されているから、網戸の取り付けや取り外しの際に指などを入れて作業することができ、便利である。
【００１９】
請求項３に係る発明によれば、アタッチメントの係止溝を、飲込み縁の内面の深さ方向に沿って複数個形成したから、係止溝を選択することによって網体の張り具合を調整することができる。
【００２０】
請求項４に係る発明によれば、窓枠の樹脂枠部の互いに対向する枠材には取付溝を形成し、網体の両端をアタッチメントを介して上記取付溝に嵌合して固定する取付構造であるから、アタッチメントを取付溝に納めることにより、外から目立たないようにすることができるので、開口部を狭小にすることがなく、網戸自体のサッシの外観も向上させることができる。
【００２１】
請求項５に係る発明によれば、障子の框の屋内側の見付け面は樹脂枠部によって覆われていても、網戸は樹脂枠部に設けられた取付溝に取り付けられるから、網戸の取り付けによって窓枠の樹脂枠部の内側に構成された開口部が狭小になることがない。
【００２２】
請求項６に係る発明によれば、取付溝を屋外側に開口したので、アタッチメントはほとんど見えなくなるから、サッシ全体の外観が向上する。
【００２３】
請求項７および請求項８に係る発明によれば、取付溝を屋内側に開口したので、アタッチメントを屋内側から取り付け、取り外すことができるので、取り扱いが容易である。
【発明を実施するための最良の形態】
【００２４】
本発明の実施形態を図１及び図２の断熱サッシについて説明する。上記サッシは壁躯体１の開口部ａに嵌め込まれた窓枠２と、この窓枠２の屋外側に水平方向に突出して開閉可能に配置された障子３とから構成された平行窓で、公知のリンク機構によって障子３が屋外側に平行に開き移動するように構成されている。
【００２５】
壁躯体１は建物の躯体構造材の屋外側に配置された屋外壁１ａと室内側に配置された室内壁１ｂとからなり、屋外壁１ａはＡＬＣ（軽量発泡コンクリート）材によって、また、室内壁１ｂは屋外壁１ａの屋内側に張設された断熱材４とその屋内側に張設された内装材５と壁躯体１に形成された開口部に臨む額縁６とによって構成されている。
【００２６】
障子３は、金属製の框材、つまり上框３ａと下框３ｂと左右の縦框３ｃとを框組みすることによって構成されている。框の内側にはペアガラス７が嵌め込まれている。
【００２７】
窓枠２は、屋外側の金属製の金属枠部２ａと屋内側の合成樹脂製の樹脂枠部２ｂとを一体に結合した構成である。金属枠部２ａは枠材（金属上枠８、金属下枠９および金属縦枠１０）を方形に枠組みしたものである。また、上記金属枠部２ａは壁開口部ａを構成する屋外壁１ａなどの躯体構造材へ取付けることにより、その内周面と屋内側面は屋内側に露出する。そこで、断熱性を確保するため、この内周面には合成樹脂製の樹脂枠部２ｂが結合されている。
【００２８】
すなわち、金属枠部２ａの屋内側には内周面に沿って連続する凹部１３が形成され、凹部１３には係止部１４が形成されている。これに対し、樹脂枠部２ｂは合成樹脂製樹脂枠部材（樹脂上枠１５、樹脂下枠１６及び樹脂縦枠１７）を方形に枠組みしたもので、各樹脂枠部材には中空部が形成され、断熱性を有効に確保している。そして、各樹脂枠部材１５、１６、１７の外方部分は窓枠２の凹部１３に嵌合されているとともに、上記外方部分に形成した係止片１８が窓枠２の凹部１３の係止部１４に係止されている。
【００２９】
そして、樹脂枠部２ｂの屋外側は、障子３の閉鎖時には障子３の框材の屋内側見付面を覆うように配置されている。また、障子３の開口部（ペアガラス７の面）と樹脂枠部２ｂの内周に形成された開口部とはほぼ屋内外方向に略面一になるように配置されている。
【００３０】
なお、樹脂下枠１６は外方の下部下枠１６ａと上部下枠１６ｂとからなり、上部下枠１６ｂの係止突部１１を下部下枠１６ａの係止凹部１２に係止させることにより、一体に結合するように形成されている。したがって、上部下枠１６ｂはオペレータ本体２０を取り付けた後に下部下枠１６ａに対して後付けすることができる。
【００３１】
次に、樹脂枠部２ｂの屋内側には取付縁２４が突出形成され、室内壁１ｂの一部で躯体開口部ａを規定する木製額縁６に固定されている。
【００３２】
また、上記樹脂枠部２ｂ（樹脂下枠１６の下部下枠１６ａ）の内周に形成された開口部と額縁６によって形成された開口部とは躯体開口部ａとほぼ屋内外方向に略面一になるように配置されている。
【００３３】
次に、上記障子３と窓枠２とはリンク機構を介して連結され、屋内側に設けられたオペレータ本体２０のハンドルを回転操作することにより障子３を屋外側に平行に移動して開き又は閉じ作動するようになっている。
【００３４】
上記構成によれば、樹脂枠部２ｂによって障子３の框材３ａ、３ｂ、３ｃの屋内側見付面を覆い、さらに樹脂枠部２ｂを室内壁１ｂで覆うようにしたので、樹脂枠部２ｂと室内壁１ｂとにより断熱構造が構成され、たとえ障子３の框材を金属製の框材のみで構成したとしても、障子框材からの熱は樹脂枠部２ｂと室内壁１ｂとによって断熱される。
【００３５】
次に、Ａは網戸を示す。網戸Ａは樹脂縦枠１７の取付溝４１に取り付けられている。そして、網戸Ａは、図３（ａ）に示されるように、網体３０とその両端に設けられたアタッチメント３１とから構成されている。網体３０は合成樹脂製で、その両端縁には膨突部３２が形成されている。網体３０の両端縁を膨突させるには、網体３０の側縁部に、膨突部３２を有する合成樹脂製の帯板材（図示せず）を溶着すればよい。これにより、網体３０の側縁部３３は帯状に形成され、端部には膨突部３２が形成される。ただし、上記側縁部３３は網目がみだれがちで通風性もあまりない。網体３０の上下の寸法は、壁躯体の開口部ａに設けられた樹脂上枠１５と樹脂下枠１６との間の寸法よりも少し大きくなるように形成されている。なお、網戸Ａの上下寸法に対応し、樹脂上枠１５と樹脂下枠１６の屋外側の面には、その長手方向に沿って網体３０の上下端を受ける突条３４（図１参照）が形成されている。
【００３６】
アタッチメント３１は合成樹脂から構成され、上記網体３０の側縁部３３を飲み込む飲込み部３５と、上記側縁部３３の端部に形成された膨突部３２に係止する係止溝３６と、上記取付溝４１に嵌合する嵌合部３７とから構成されている。
【００３７】
飲込み部３５は、網体３０の両側縁部を飲み込んで隠すもので、２つの飲込み縁３５ａ、３５ｂから構成されている。第１の飲込み縁３５ａは断面がコ字形に形成され、相対する面には滑り止めの溝３８が形成されている。第２の飲込み縁３５ｂは真直板状に形成されている。このように、網目が乱れがちの網体３０の側縁部は、アタッチメント３１の飲込み部３５に飲み込まれて外部から見えなくなるので、網戸Ａの全体の体裁がよい。
【００３８】
嵌合部３７は断面がＣ字形で、上記樹脂枠部２ｂの後述の取付溝４１に嵌合する大きさに形成されている。嵌合部３７の外側の面は上記飲込み部３５の外側面と面一になるように形成されている。上記係止溝３６は上記飲込み部３５に臨み、その溝幅は上記網本体の膨突部３２よりも狭くなっている。また、上記嵌合部３７の上記第１の飲込み縁３５ａと同じ側面には、係止突条４０が形成されている。
【００３９】
上記網体３０の膨突部３２の一端を上記アタッチメント３１の係止溝３６の一端部からスライドさせることにより、網体３０をアタッチメント３１に一体的に取り付け、網戸Ａを構成することができる。上記膨突部３２を逆方向に抜き出せば網体３０をアタッチメント３１から取り外すことができる。
【００４０】
次に、網戸Ａを窓枠２に取り付けるときは、図４（ａ）に示されるように、網戸Ａの両端をアタッチメント３１を介して上記取付溝４１に嵌合して固定する。
【００４１】
そのため、窓枠２の樹脂枠部２ｂの互いに対向樹脂縦枠１７には、屋外側に開口する取付溝４１を形成する。取付溝４１の開口部側の内側開口縁４２は反対側の外側開口縁４３よりも短く形成されている。また、内側開口縁４２の先端内側には係止突部４４が形成されている。
【００４２】
網戸Ａは窓枠の樹脂枠部２ｂの樹脂縦枠１７に屋内側から取り付ける。まず、アタッチメント３１を図３（ｂ）のように折り曲げ、図４（ａ）のように、一方のアタッチメント３１の嵌合部３７を、第１の飲込み縁３５ａの屋内側の内面に手を入れ、樹脂枠部２ｂの取付溝４１の屋外側から手前に押し込んで同図（ｂ）のように嵌め込む。十分に嵌めこむと、嵌合部３７の係止突条４０が取付溝４１の係止突部４４を越えて係止し、取り付けが完了する。
【００４３】
なお、上記網体３０の上下端は樹脂上枠１５と樹脂下枠１６の屋外側の面に形成された突条３４に係合して隙間ができないようになっている。
【００４４】
ところで、経年変化により網体３０の張力が小さくなってその表面に緩みができたり、穴があいたりしたときは、網戸Ａを交換すればよい。この場合、網戸Ａを取り外すときは、同図（ｃ）のように、第１の飲込み縁３５ａの屋外側の内面に指やドライバ等で押し出して嵌合部３７を取付溝４１から引き抜けばよい。
【００４５】
このように、第１の飲込み縁３５ａは断面がコ字形に形成されているから、網戸Ａの取り付けや取り外しの際に指などを入れて作業することができ、便利である。
【００４６】
上述のように、障子３の框の屋内側の見付け面は樹脂枠部２ｂによって覆われていても、網戸Ａは樹脂枠部２ｂに設けられた取付溝４１に取り付けられるから、外から目立たないようにすることができるとともに、網戸Ａの取り付けによって窓枠の樹脂枠部２ｂの内側に構成された開口部が狭小になることがない。
【００４７】
また、取付溝４１は屋外側に開口されているので、アタッチメント３１はほとんど見えなくなるから、サッシ全体の外観が向上する。
【００４８】
次に、樹脂枠部２ｂの取付溝４１は上述の実施形態に限定されない。例えば、図５（ａ）は上記取付溝４１をあり溝として内方に開口した形態である。この場合は、アタッチメント３１を、けんどん式に上記取付溝４１に入れ込み可能に形成すればよい。すなわち、上記嵌合部３７を、飲込み部３５を構成する第２の飲込み縁３５ｂと、この第２の飲込み縁３５ｂから延長形成された延長縁４５とによって形成し、同図（ａ）のように上記取付溝４１の屋外側にアタッチメント３１の第２の飲込み縁３５ｂを入れ込んだ後に、同図（ｂ）のように取付溝４１の屋内側に延長縁４５を嵌入することによって取り付けることができる。
【００４９】
なお、取付溝４１の溝幅は上記嵌合部３７の肉厚よりも大きく形成し、取付溝４１の屋内側の内面には突片４６を形成し、上記延長縁４５が隙間なく取付溝４１に嵌入するようにする。また、嵌入後に嵌合部３７が簡単に抜けないように延長縁４５には上記突片４６に係止可能な係止突片４７が形成されている。
【００５０】
この場合、網戸Ａを交換するときは、図５（ｃ）に示されるように、アタッチメント３１を屋外側に押し出して延長縁４５を取付溝４１から引き出した後、外側縁を取り外せばよい。
【００５１】
また、図６及び図７は樹脂縦枠１７の取付溝４１を屋内側に開口した場合の実施形態である。
【００５２】
同図において、障子３は断熱障子３で、金属製の框材３ａ、３ｂ、３ｃを框組みするとともに、上記框材の屋内側には樹脂框３ｄ、３ｅ、３ｆが一体に結合されている。
【００５３】
窓枠２は、上述のものと同様に、屋外側の金属製の金属枠部２ａと屋内側の合成樹脂製の樹脂枠部２ｂとを一体に結合した構成である。
【００５４】
すなわち、金属枠部２ａの屋内側には内周面に沿って係止部４８が形成されている。これに対し、樹脂枠部２ｂは合成樹脂製樹脂枠部材（樹脂上枠１５、樹脂下枠１６と樹脂縦枠１７）を方形に枠組みしたもので、各樹脂枠部材には上記係止部４８に係止可能な係止部４９が形成されている。なお、樹脂下枠１６は下部下枠１６ａと中央部下枠１６ｃと上部下枠１６ｂの３つの下枠材から構成されている。
【００５５】
樹脂枠部２ｂの屋内側には取付縁２４が突出形成され、躯体開口部ａを規定する木製額縁６に固定されている。
【００５６】
なお、上記障子３と窓枠もリンク機構を介して連結され、屋内側から下枠に配置されたハンドルを回転操作することにより、障子３を屋外側に平行に移動して開き又は閉じ作動するようになっている。
【００５７】
上記構成によれば、障子３と窓枠がいずれも二重断熱構成になっているので、断熱性能がさらにアップする。
【００５８】
ところで、網戸Ａを取付けるための取付溝４１は上記樹脂枠部２ｂの樹脂上枠１５と樹脂下枠１６と樹脂縦枠１７の四周に形成され、屋内側に開口している。
【００５９】
網戸Ａは網体３０の左右にアタッチメント３１を取り付けたもので、基本的構成は上述のものと同様であるが、飲込み部３５を構成する飲込み縁のうち、外側に配置される第２の飲込み縁３５ｂは第１の飲込み縁３５ａよりも長く形成されている。
【００６０】
上記網戸Ａを樹脂枠部２ｂに装着するときは、まず、樹脂上枠１５と樹脂下枠１６に上記アタッチメント３１と同じ構成のアタッチメント３１ａを嵌合装着しておく。次に、網体３０に取り付けられたアタッチメント３１を屋内側から第１の飲込み縁３５ａを屋外側に押して嵌合部３７を樹脂縦枠１７の取付溝４１に嵌合させる。網体３０の上下端縁は、予め装着しておいたアタッチメント３１ａの第１の飲込み縁３５ａの屋内側の面に当てる。この場合、網体３０の上下端縁とアタッチメント３１の第１の飲込み縁３５ａとは単に当てるだけでなく、接着剤で接着するか、マグネットなどを利用して吸着させることにより、隙間ができないようにするのが好ましい。
【００６１】
なお、網戸Ａを交換するときは、第２の飲込み縁３５ｂを屋内側に引き出して嵌合部３７を取付溝４１から取り外せばよい。
【００６２】
上記構成によれば、同図において、障子３は断熱障子３で、金属製の框材、つまり上框と下框と左右の縦框とを框組みするとともに、上記框材の屋内側には樹脂框が一体に結合されている。
【００６３】
また、図８および図９は上述のものとは異なる実施形態のサッシで、この形態において、網戸Ａの取付溝４１は屋内側に開口形成されている。
【００６４】
すなわち、このサッシは、金属枠部２ａの屋内側に樹脂枠部２ｂを係止させて一体的に結合した窓枠の内側に障子３を回動可能に取り付けたもので、障子３の上框３ａはヒンジ金具５０を介して金属枠部２ａに回動可能に連結され、また障子３の下框３ｂの屋内側にはＬ字形の取付金具５１が固定され、この取付金具５１に開閉操作用のレバーハンドル５２のベース５３が固定されている。ベース５３に対してレバーハンドル５２は直角に回動できるように取り付けられている。これにより、レバーハンドル５２を障子３に直交するように回動させて屋外側に押し込むことにより、障子３は上記ヒンジ金具５０を中心に回動して開く。
【００６５】
なお、窓枠２の下枠９には障子３の受け金具５４が固定され、閉じ時の障子３の取付金具５１を受けるように構成されている。受け金具５４は樹脂下枠１６の内部に配置され、外側から見えないようになっている。
【００６６】
上記樹脂枠部２ｂの四周には屋内側に開口する取付溝４１が形成されている。この取付溝４１の開口端には係止用の突起５５が形成されている。
【００６７】
これに対し、網戸Ａの基本的構成は図３（ａ）に示したものと同じであるが、予め樹脂縦枠１７の取付溝４１にはアタッチメント３１ａを取り付けておく。アタッチメント３１ａの第１の飲込み縁３５ａは図１の場合と同様に内側に配置されるように取り付ける。また、樹脂上枠１５と樹脂下枠１６の取付溝４１には網戸Ａを取り付ける。この場合、アタッチメント３１は図１と図２の場合とは逆に、上図の第１の飲込み縁３５ａを外側に、第２の飲込み縁３５ｂを内側にし、上記外側の第１の飲込み縁３５ａを押し込んで嵌合部３７を嵌入して取り付ける。また、樹脂縦枠１７のアタッチメント３１ａに対しては、その第１の飲込み縁３５ａの屋外側に当接させる状態にする。これにより、網体３０は上下及び両側縦のアタッチメント３１ａに張設される状態となる。取り付け時には、アタッチメント３１の嵌合部３７が取付溝４１の開口端の係止用突起５５に係止して取付状態が安定する。
【００６８】
上記網戸Ａを取り外すときは、上下のアタッチメント３１の外側の第１の飲込み縁３５ａの外側から指を入れて屋内側に引き出せばよい。
【００６９】
上記構成によれば、網戸Ａを屋内側から取り付け、取り外しできるので、取り扱いが容易であるとともに、窓枠２の左右樹脂縦枠１７に網体３０を受けるアタッチメント３１を取り付けたので、面一に張りやすい。
【００７０】
なお、網戸Ａの網体３０は経年によりテンションが弱くなっていくので、張り具合を強くする必要がある。この場合は、図１０（ａ）に示されるように、第２の飲込み縁の内面の深さ方向に複数の係止溝３６ａ、３６ｂ、３６ｃ・・・を形成し、初めは網体３０の両側端縁の膨突部３２を最も浅い係止溝３６ａに係止させ、その後、同図（ｂ）（ｃ）（ｄ）の係止溝３６ｂ、３６ｃ、３６ｄに選択的に係止させることにより、網体３０の張り調整をすることができる。調整作業にあたっては、まず網戸Ａを外し、上記膨突部３２をドライバ等の適当な治具で押し込んで適正な位置に調整すればよい。
【００７１】
また、冬場などのように、網戸Ａを使用する必要がないときは、網戸Ａを取り外し、さらに丸めて適当な場所に収納しておけばよいので、収納にスペースを必要としない。
【００７２】
上述のように、網戸Ａは網体３０とアタッチメント３１とから構成されるだけであるから、その構成は非常にシンプルであり、窓枠２と一体的に取り付けることにより従来の網戸框をなくし、サッシ全体の外観を向上させ、網戸Ａ自体の外観も向上させることができる。
【００７３】
さらに、上記網戸取付構造は、平行窓だけでなく、横辷り出し窓や、縦滑り窓等の窓にも適用することができる。
【図面の簡単な説明】
【００７４】
【図１】本発明に係るサッシに対する網戸の取付状態を示す縦断面図である。
【図２】上記サッシの横断面図である。
【図３】（ａ）（ｂ）は網戸の斜視図である。
【図４】（ａ）（ｂ）（ｃ）は網戸の取付態様説明図である。
【図５】（ａ）（ｂ）（ｃ）は網戸の別の実施形態の取付態様説明図である。
【図６】他のサッシに対する網戸の取付状態を示す縦断面図である。
【図７】上記サッシの横断面図である。
【図８】さらに別のサッシに対する網戸の取付状態を示す縦断面図である。
【図９】上記サッシの横断面図である。
【図１０】（ａ）〜（ｄ）は網戸の網体の張り具合の調整態様説明図である。
【符号の説明】
【００７５】
Ａ  網戸
２ａ  金属枠部
２ｂ  樹脂枠部
３    障子
３０  網体
３１  アタッチメント
４１  取付溝
【図１】
0005455283.tif 000002
【図２】
0005455283.tif 000003
【図３】
0005455283.tif 000004
【図４】
0005455283.tif 000005
【図５】
0005455283.tif 000006
【図６】
0005455283.tif 000007
【図７】
0005455283.tif 000008
【図８】
0005455283.tif 000009
【図９】
0005455283.tif 000010
【図１０】
0005455283.tif 000011